(57)【要約】【課題】誤操作を防止するためボタン操作の無効化が可能であり、且つ簡易的な操作で一時的にボタン操作を有効にし、所望の入力を可能とするボタン操作の誤入力防止方法、入力装置及び誤入力防止機能付携帯端末を提供する。【解決手段】携帯電話機等の携帯機器のボタン操作による入力を無効とする機能の設定状態において、ボタン操作を有効とする条件を特定（又は任意）のボタン（「サイドａ」ボタン）の押下中とする。当該ボタンの押下中は短縮ダイヤルの例えば「１」ボタンと発信用の「開始」ボタンを順次押下することにより、「１」ボタンとして登録した相手電話番号に発信が可能となる。同時に押下しているボタン数で、そのボタン入力が有効か否かを判定し入力の有効、無効の判定を行うことにより、ボタン操作の利便性を悪化させずにボタンの誤操作入力を防止する。【選択図】図５
2006279282.tif 000002
【特許請求の範囲】
【請求項１】
複数の操作ボタンを有する入力装置の誤操作入力を防止する誤入力防止方法であって、
特定の操作ボタンの押下状態をそれぞれ記憶するとともに、操作ボタンの押下時に前記特定の操作ボタンの押下状態が記憶されていることを条件に当該操作ボタンの押下を有効として入力データが確定されることを特徴とする誤入力防止方法。
【請求項２】
前記特定の操作ボタンは、複数の操作ボタンのうちの特定範囲の何れかの操作ボタンであることを特徴とする請求項１記載の誤入力防止方法。
【請求項３】
前記特定の操作ボタンは携帯電子機器の筐体の側面又は前面の特定の機能ボタンであることを特徴とする請求項１記載の誤入力防止方法。
【請求項４】
複数の操作ボタンの誤操作入力を防止する誤入力防止方法であって、
任意の操作ボタンの押下状態をそれぞれ記憶するとともに、前記操作ボタンの押下時に前記特定の操作ボタンの押下状態が記憶されていることを条件に当該操作ボタンの押下を有効として入力データが確定されることを特徴とする誤入力防止方法。
【請求項５】
ボタン操作を有効とする操作ボタンは、複数の操作ボタンのうちの所定範囲の操作ボタンであることを特徴とする請求項１ないし４の何れかの請求項記載の誤入力防止方法。
【請求項６】
記憶された押下状態が２つ目であることを条件に操作ボタンの押下を有効とすることを特徴とする請求項１ないし５の何れかの請求項記載の誤入力防止方法。
【請求項７】
ボタン操作の無効化から一定時間後に確定した入力データをクリアすることを特徴とする請求項１ないし６の何れかの請求項記載の誤入力防止方法。
【請求項８】
複数の操作ボタンを有しボタン操作の無効化の設定が可能な携帯電子機器の入力装置であって、ボタン操作の無効化の設定状態においても特定の操作ボタンの押下中はボタン操作を有効にする制御を行う制御部を有することを特徴とする入力装置。
【請求項９】
前記特定の操作ボタンは、複数の操作ボタンのうちの特定範囲の何れかの操作ボタンであることを特徴とする請求項８記載の入力装置。
【請求項１０】
前記特定の操作ボタンは携帯電子機器の筐体の側面又は前面の特定の機能ボタンであることを特徴とする請求項８記載の入力装置。
【請求項１１】
複数の操作ボタンを有しボタン操作の無効化の設定が可能な携帯電子機器の入力装置であって、ボタン操作の無効化の設定状態においても任意の操作ボタンの押下中はボタン操作を有効にする制御を行う制御部を有することを特徴とする入力装置。
【請求項１２】
ボタン操作が有効とする操作ボタンは、複数の操作ボタンのうちの所定範囲の操作ボタンであることを特徴とする請求項８ないし１１の何れかの請求項記載の入力装置。
【請求項１３】
３以上の操作ボタンの押下状態でボタン操作を無効化することを特徴とする請求項８ないし１２の何れかの請求項記載の入力装置。
【請求項１４】
請求項８ないし１３の何れかの請求項記載の入力装置を備える誤入力防止機能付携帯端末。
【発明の詳細な説明】
【従来技術】
【０００１】
本発明は操作ボタンの誤操作の制御に関し、特に誤入力防止機能を有する操作ボタンの誤入力防止方法、入力装置及び誤入力防止機能付携帯端末
【背景技術】
【０００２】
携帯電話機、ＰＨＳ等の携帯電子機器は服装のポケットやカバンに入れて持ち歩くのが一般的であるが、このような場合に操作ボタンに何らかが接触する等によりユーザが無意識のうちに誤ったボタン入力が行われてしまうことや、誤ってダイヤル発信をしてしまうというという難点があり、従来このような誤操作を防止するために、ハードスイッチやソフトスイッチにてボタン操作を無効化する手段を適用するのが一般的である。
【発明の開示】
【発明が解決しようとする課題】
【０００３】
しかし、従来のボタン操作の無効化手段には、特別な装置が必要な場合や設定や解除の操作が煩雑である等により、利便性を欠いくといった問題がある。  
つまり、ハードスイッチの場合、専用の装置を設けその装置が出力する論理符号でボタン操作を無効とするかどうかを判定するのが一般的であるが装置のコスト、デザイン、実装面積等の点でデメリットがある。  
一方、ソフトスイッチの場合は、特別な装置を必要としない反面、設定及び設定解除が煩雑になり利便性を欠くといった点でデメリットがある。
【０００４】
（目的）
本発明の目的は、操作ボタンに何らかが接触する等による誤操作による誤入力防止方法、入力装置及び誤入力防止機能付携帯端末を提供することにある。
【０００５】
本発明の他の目的は、誤操作を防止するためボタン操作の無効化が可能であり、且つ簡易的な操作で一時的にボタン操作を有効にし、所望の入力を可能とするボタン操作の誤入力防止方法、入力装置及び誤入力防止機能付携帯端末を提供することにある。
【課題を解決するための手段】
【０００６】
本発明の誤入力防止方法は、複数の操作ボタンを有する入力装置の誤操作入力を防止する誤入力防止方法であって、特定の操作ボタンの押下状態をそれぞれ記憶するとともに、操作ボタンの押下時に前記特定の操作ボタンの押下状態が記憶されていることを条件に当該操作ボタンの押下を有効として入力データが確定されることを特徴とし、また、前記特定の操作ボタンは、複数の操作ボタンのうちの特定範囲の何れかの操作ボタンであること、又は前記特定の操作ボタンは携帯電子機器の筐体の側面又は前面の特定の機能ボタンであることを特徴とする。
【０００７】
また、任意の操作ボタンの押下状態をそれぞれ記憶するとともに、前記操作ボタンの押下時に前記特定の操作ボタンの押下状態が記憶されていることを条件に当該操作ボタンの押下を有効として入力データが確定されることを特徴とし、ボタン操作を有効とする操作ボタンは、複数の操作ボタンのうちの所定範囲の操作ボタンであることを特徴とする。
【０００８】
また、記憶された押下状態が２つ目であることを条件に操作ボタンの押下を有効とすることを特徴とし、ボタン操作の無効化から一定時間後に確定した入力データをクリアすることを特徴とする。
【０００９】
本発明の入力装置は、複数の操作ボタンを有しボタン操作の無効化の設定が可能な携帯電子機器の入力装置であって、ボタン操作の無効化の設定状態においても特定の操作ボタンの押下中はボタン操作を有効にする制御を行う制御部を有することを特徴とし、前記特定の操作ボタンは、複数の操作ボタンのうちの特定範囲の何れかの操作ボタンであること、又は前記特定の操作ボタンは携帯電子機器の筐体の側面又は前面の特定の機能ボタンであることを特徴とする。
【００１０】
また、複数の操作ボタンを有しボタン操作の無効化の設定が可能な携帯電子機器の入力装置であって、ボタン操作の無効化の設定状態においても任意の操作ボタンの押下中はボタン操作を有効にする制御を行う制御部を有することを特徴とし、ボタン操作が有効とする操作ボタンは、複数の操作ボタンのうちの所定範囲の操作ボタンであることを特徴とする。更に、３以上の操作ボタンの押下状態でボタン操作を無効化することを特徴とする。
【００１１】
更に本発明は以上の入力装置を備える誤入力防止機能付携帯端末に関する。つまり、
本発明は、誤入力防止機能を有する携帯電話機等の複数の操作ボタンを有するボタン操作の入力制御に関し、入力無効機能が設定状態であっても煩雑な解除操作を不要とし、任意のボタンを押下するだけで、所望のボタン操作による入力を可能とすることを特徴とし、前記任意のボタンを開放することで、特段の操作なく再度誤入力無効の設定状態にすることができることを特徴とする。具体的には、
複数の操作ボタンを有するボタン操作部と、前記ボタン操作部の特定の操作ボタン又は任意の操作ボタンの押下状態での他の操作ボタンの押下により当該他の操作ボタンの入力を有効にする制御部と、を有し、前記特定の操作ボタンは、ボタン操作部の複数の操作ボタンの個数未満の複数の操作ボタンであることを特徴とする。また、前記他の操作ボタンは、ボタン操作部の複数の操作ボタンの個数未満の複数の操作ボタンであることを特徴とする。
【００１２】
（作用）
誤入力防止機能の設定状態において、ボタン操作を有効とする条件を特定（又は任意）のボタンの押下中とすることで、ボタン操作の利便性を悪化させずにボタンの誤操作入力を防止する。又、同時に押下しているボタン数で、そのボタン入力が有効か否かを判定し入力の有効、無効の判定を行う。
【発明の効果】
【００１３】
誤入力防止のためにボタン操作を無効化している場合であっても、特定のボタン等の押下中であれば入力するボタン操作を有効にできる手段を設けたことにより、ユーザ操作の利便性を確保した上で、誤操作によるボタン入力やダイヤル発信を防止することが可能である。
【発明を実施するための最良の形態】
【００１４】
本発明の操作ボタンの誤入力防止方法、入力装置及び誤入力防止機能付携帯端末について、携帯電話機を例とする実施の形態により以下説明する。
（構成の説明）
図１は本発明の一実施の形態の携帯電話機の機能を簡略化したブロック図である。  
図１において、１０は携帯電話機、１０１はボタン操作部（キーボード）、１０２は無線系装置、１０３はディスプレイ、１０４は制御系装置、１０５はメモリ装置、１０６は音声系装置、１０７はマイク、１０８はレシーバである。
【００１５】
携帯電話機１０のユーザがダイヤル発信する際、ボタン操作部１０１の数字ボタンを押下操作して接続先の電話番号を入力すると、制御系装置１０４は入力された電話番号を認識し、ボタン操作部１０１の押下した数字ボタンに相当する数字をディスプレイ１０３に表示する。更に、ユーザが開始ボタン（発信ボタン）を押下すると、制御系装置１０４の通信制御機能により無線系装置１０２を介して発信動作を行い、基地局を介して相手の端末との接続動作を行う。
【００１６】
又、接続先の電話番号は制御系装置１０４の制御により発信履歴、着信履歴や短縮ダイヤルとして、メモリ装置１０５に記憶され、簡易な操作で再度発信することが可能となる。
【００１７】
図２は携帯電話機の正面図を示す図であり、図３は同側面図を示す図である。ボタン操作部１０１は図２に示す数字ボタンの他、メニューボタン、発信用の開始ボタン等の機能ボタンが筐体前面に配置されている。又、図３に示す筐体側面のサイドボタンａ１０１１、サイドボタンｂ１０１２もボタン操作部１０１の一部である。
【００１８】
本実施の形態のボタン入力の誤入力防止機能は、事前にボタン操作によりその機能のオン／オフ設定が可能である。つまり、携帯電話機を扱う状況に応じてボタン操作を無効化する設定（ボタン無効設定）とするか否かを選択設定することが可能であり、その設定はメモリ装置１０５に格納される。
【００１９】
制御系装置１０４はボタン操作があった場合にボタン操作部１０１から出力する信号を検出し、どのボタンが押下されているかを判断し、メモリ装置１０５に記憶された前述の誤入力防止機能の設定状態に従って、ボタン操作の入力を有効もしくは無効とする。
【００２０】
ボタン操作有効設定時はボタン操作入力は従来どおり入力処理され、ボタン操作のとおりにディスプレイ１０３に表示されるが、ボタン無効設定時は誤入力防止機能が動作し、通常のボタン操作であるボタンの単独押下操作ではボタン入力は無効として扱われるが、ボタン操作部１０１の特定のボタンを押下中であるボタン無効設定の解除中のボタン操作時に限り、当該ボタン操作が有効となる。
【００２１】
この制御は制御系装置１０４により行われ、ボタン無効設定の状態において、例えば、現時点で押下したボタンの状態の記憶制御を行い、何れか１つのボタンの押下操作状態において、他のボタン（入力を希望するボタン）の押下時に当該他のボタンの押下による入力を有効として当該ボタンの入力データを出力するように制御される。
【００２２】
このためメモリ装置１０５には、ボタン操作部１０１の特定のボタンに対応するフラグを記憶するフラグ記憶領域が確保され、制御系装置１０４は特定のボタンの押圧／開放操作に対応して前記記憶領域にそれぞれフラグを記憶又は消去することにより、当該特定のボタンの押下状態を表示する制御を行うとともに、他のボタンの押下時に前記フラグが存在するか否かを判断し、前記フラグが既に存在する場合にのみ他のボタンの入力データをディスプレイ１０３に出力する等の制御を行う。
【００２３】
図４は本実施の形態１の制御系装置の処理フローを示す図である。  
本実施の形態では、メモリ装置１０５を参照し、ボタン無効設定がオン状態かオフ状態かを判断し（ｓ１）、オフ状態であれば常にボタン操作が有効である通常のボタン操作の処理の制御モードとなる（ｓ６）。ステップｓ１で無効設定がオン状態であれば、ユーザのボタン操作を待機する（ｓ２）。
【００２４】
ボタン操作が検出されると（ｓ２）、ボタン操作が特定のボタンか否かを判断し（ｓ３）、特定のボタンの場合は、その操作が押下か又は開放かを判断し（ｓ４）、ボタンの押下の場合は（ｓ４、ＹＥＳ）、当該押下状態を示すフラグをフラグ記憶領域に記憶してフローのスタートに戻る（ｓ５）。また、特定のボタンの開放の場合は（ｓ４、ＮＯ）、既に記憶されているフラグを消去してフローのスタートに戻る（ｓ１０）。
【００２５】
また、ステップｓ２でボタン操作が検出され、特定のボタンでない場合は（ｓ３、ＮＯ）、このボタンの操作が押下か又は開放かを判断し（ｓ７）、押下の場合は（ｓ７、ＹＥＳ）、フラグ記憶領域にフラグが存在するか否かを判断し（ｓ８）、フラグが存在する場合は、当該ボタンの操作を有効としてディスプレイ１０３等にデータを出力してフローのスターに戻る（ｓ９）、また、ステップｓ７でボタン操作が開放の場合（ｓ７、ＮＯ）及びステップｓ８でフラグが存在しない場合は（ｓ８、ＮＯ）、フローのスタートに戻る。
【００２６】
以上の処理により特定のボタンの押下状態においてのみフラグ記憶領域にフラグが存在し、続く他のボタンの押下時に当該他のボタンの押下による入力操作を有効として入力データが出力される制御が可能となる。  
本実施の形態の特定のボタンには携帯電話機のボタン入力部のサイドボタンの１つをあてると好適であるが、かかるボタンの割り当てに限られるものではなく、複数のサイドボタンの全てを割り当てる等、複数のボタンの何れを押下した場合もボタン無効設定を解除できるように構成することも可能である。
【００２７】
また、本実施の形態では、前記特定のボタンの押下状態であれば、後続のボタンの操作は全て有効となり、複数のボタンの同時押下による入力が許容される。
【００２８】
（動作の説明）
本実施の形態の動作例を携帯電話機の代表的な入力操作例により以下説明する。  
ボタン（操作）無効設定がＯＮの状態の場合は、メモリ装置１０５にその状態を示すフラグが保管され、以降、ボタン押下時の有効／無効判定に使用される。また、押下したボタンの有効性の判定はボタン押下時に行われる。
【００２９】
図５はボタン無効設定中の短縮ダイヤル発信機能を用いた発信手順の例を示す図である。より具体的には、ユーザがボタン無効設定の一時的な解除を行い、短縮ダイヤル発信機能で通話する際のボタン押下の手順をタイムチャート形式で示している。本例では、「サイドａ」ボタン、「１」ボタン及び「開始」ボタンを順次押下し、短縮ダイヤル発信する動作を示す。
【００３０】
最初に、短縮ダイヤル発信機能について簡単に説明する。短縮ダイヤル発信機能は電話帳の管理番号０番から９番に電話番号を登録しておくことで、ボタン入力の「０」から「９」の１つを押して「開始」ボタンを押すだけで、手早く電話をかけることが出来る機能である。
【００３１】
制御系装置はボタン無効設定を一次的に解除する手段をも構成するものであり、ボタン無効解除条件を与える前述の特定のボタンをサイドボタンａ（以下、「サイドａ」ボタン）１０１１とし、この継続押下中はボタン操作を有効とする。
【００３２】
図５において、時刻ｔ１１では「サイドａ」ボタン１０１１が押下され、以後、その他のボタン押下が有効（入力待ち）になる。  
時刻ｔ１２では「１」ボタンの押下が確定する。  
続いて時刻ｔ１３では「１」ボタンが開放され、再度ボタン押下の受付が開始する。  
更に時刻ｔ１４では「開始」ボタンの押下が確定し、「１」＋「開始」による短縮ダイヤル発信動作が行われる。  
最後に時刻ｔ１５にて「サイドａ」ボタン１０１１が開放され、以後、再び何らかの接触等によるボタン押下は無効となる。
【００３３】
次に、誤ってボタンの押下が行われたもののボタン無効中のために発信動作に至らない場合の手順を説明する。  
図６は誤って「サイドａ」ボタン、「１」ボタン及び「開始」ボタンが順に押下された例を示す図である。「１」ボタンのみ有効となるものの、「開始」ボタンが有効にならない場合を示している。
【００３４】
図６において、時刻ｔ２１では「サイドａ」ボタン１０１１が押下され、その他のボタン押下が有効になる。  
時刻ｔ２２では「１」ボタンの押下が確定する。  
続いて時刻ｔ２３では「１」ボタンが開放され、再度ボタン押下の受付が開始するが、時刻ｔ２４で「サイドａ」ボタン１０１１が開放されており、開放状態ではボタン操作は無効化される。
【００３５】
時刻ｔ２５で「開始」ボタンが押下されるが、「サイドａ」ボタンが開放されているため有効とならない。  
結果として、「サイドａ」ボタン、「１」ボタン、「開始」ボタンと押下されているが誤って短縮ダイヤル発信されることはない。
【００３６】
図７は「１」ボタンが及び「開始」ボタンのみが順に押下された場合を示す図である。「１」ボタン及び「開始」ボタン共に有効にならない場合を示している。  
図７において、時刻ｔ３１では「１」ボタンを押下しているが、「サイドａ」ボタンが押下されていないため、「１」ボタンの押下は無効となる。  
更に、時刻ｔ３２では「開始」ボタンを押下しているが、同様に「サイドａ」ボタンが押下されていないため、「サイドａ」ボタンの押下は無効となる。  
結果として、「１」ボタン、「開始」ボタンと押下されているが誤って短縮ダイヤル発信することはない。
【００３７】
（実施の形態２）
以上の実施の形態では、押下したボタンが有効となるのは、特定のボタンが押下されている状態で次に押下されたボタンとし、３番目以降に押下したボタンでも入力が有効となるが、２つ以上のボタンが押下されている状態で３番目以降に押下したボタンを無効とするように構成することが可能である。
【００３８】
図８は３番目以降に押下したボタンを無効とする処理ブローを示す図である。図４に示す処理フローの一部処理（ステップｓ７、ｓ８、ｓ９）が変更される。本実施の形態２の構成及び動作は以下のとおりである。
【００３９】
本実施の形態２のメモリ装置１０５は、ボタン操作部１０１の各ボタンのそれぞれに対応するフラグを記憶するフラグ記憶領域が確保され、制御系装置１０４はボタン毎の押圧／開放操作に対応して前記記憶領域にそれぞれフラグを記憶又は消去し、押下状態を参照可能に記憶制御するとともに、何れのボタンが押下状態にあるか、いくつのフラグが記憶されているかを判断し、前記ボタンの押下時に特定のボタンと他のボタンの２つのフラグの存在を条件として他のボタンの入力データをディスプレイ１０３に出力する等の制御を行う。
【００４０】
まず、メモリ装置１０５を参照し本実施の形態のボタン無効設定がオン状態かオフ状態かを判断し（ｓ１）、オフ状態であれば常にボタン操作が有効である通常のボタン操作処理の制御モードとなる（ｓ６）。ステップｓ１で無効設定がオン状態であれば、ユーザのボタン操作を待機する（ｓ２）。
【００４１】
ボタン操作が検出されると（ｓ２）、ボタン操作が特定のボタンか否かを判断し（ｓ３）、特定のボタンの場合は、その操作が押下か又は開放かを判断し（ｓ４）、ボタンの押下の場合は（ｓ４、ＹＥＳ）、当該押下状態を示すフラグをフラグ記憶領域に記憶してフローのスタートに戻る（ｓ５）。また、特定のボタンの開放の場合は（ｓ４、ＮＯ）、既に記憶されているフラグを消去してフローのスタートに戻る（ｓ１０）。
【００４２】
また、ステップｓ２でボタン操作が検出され、特定のボタンでない場合は（ｓ３、ＮＯ）、このボタンの操作が押下か又は開放かを判断し（ｓ７）、押下の場合は（ｓ７、ＹＥＳ）、当該ボタンのフラグをフラグ記憶領域に記憶する（ｓ１１）とともに、フラグ記憶領域に特定のボタンのフラグが存在するか否かを判断し（ｓ１２）、存在する場合は、フラグ数が２つだけか否かを判断し（ｓ１３）、２つだけの場合には当該ボタンの入力を有効としてデータを出力してフローのスタートに戻る（ｓ１４）。また、ステップｓ７で当該ボタンの操作が開放の場合は、既に記憶されている当該ボタンのフラグを消去してフローのスタートに戻る（ｓ１５）。更に、ステップｓ１２で特定のボタンのフラグが存在しない場合、及びステップｓ１３でフラグ数が３つ以上の場合はフローのスタートに戻る。
【００４３】
以上の処理により特定のボタンの押下状態においてのみフラグ記憶領域にフラグが存在し、続く他のボタンの押下時に当該他のボタンの押下による入力操作を有効として入力データを出力する制御が可能となり、更に、特定のボタンに続く３つ目以上のボタン操作や、特定のボタンを除く２つ以上のボタンの同時操作等は全て無効となる制御が可能となる。
【００４４】
以下、図８に示す処理フローに基づく動作の具体例を説明する。  
図９は３番目以降に押下したボタンを無効とする例を示す図である。「サイドａ」ボタン、「１」ボタン、「２」ボタン、「開始」ボタンを押下するも、「１」ボタンのみ有効となる場合の例を示している。  
図９において、時刻ｔ４１では「サイドａ」ボタン１０１１が押下され、その他のボタン押下が有効になる。  
時刻ｔ４２では「１」ボタンの押下が確定する。  
続いて、時刻ｔ４３では「２」ボタンが押下されているが、「１」ボタンが押下中のため、３番目に押下したボタンと認識され無効となる。  
更に、時刻ｔ４４では「１」ボタンを開放しているが、「２」ボタンは押下中を維持しており、押下時の判断という前記条件を満たさないので有効にならない。  
次に、時刻ｔ４５で「開始」ボタンを押下しているが、「２」ボタン押下が継続中のため、３番目に押下したボタンと認識され無効となる。  
時刻ｔ４６では「２」ボタン開放しているが、「開始」ボタンが押下中を維持し前述と同様に有効にならない。  
時刻ｔ４７では「開始」ボタンを開放し、ボタン押下待ちに移行するが、時刻ｔ４８で「サイドａ」ボタンが開放され無効状態となる。
【００４５】
故に、「サイドａ」ボタン、「１」ボタン、「２」、「開始」ボタンと押下され、「１」ボタンが有効となってはいるが、それ以降のボタン押下は無効となり短縮ダイヤル発信までには至らない。  
以上の例ではボタン無効設定の一次的な解除を「サイドａ」ボタンの押下で行うようにしたが、このボタンとしては「サイドｂ」、「＃」、「＊」、「電話帳」等の発信操作に関わらないボタンを割り当てることが可能である。
【００４６】
前述の実施の形態は、ボタン操作無効の解除に発信操作に関わらない特定のボタン（「サイドａ」、「サイドｂ」、「＃」、「＊」、「電話帳」）を押下することを条件とし、更に、その特定のボタンが他のボタン入力を行うまで継続的に押下されていることを条件としたが、前記特定のボタンの継続的な押下を条件とすることなく、また、所定範囲のボタンの何れかをボタン無効設定の解除のために割り当てたり、任意のボタンの何れかをボタン無効設定の解除のために割り当て、後続の操作ボタンの入力を有効とする実施の形態３を構成することが可能である。
【００４７】
本実施の形態３では、複数の「数字」ボタンを特定のボタンをとし、ボタン無効設定の解除は順次押下される後続のボタンを前記特定のボタン又は任意のボタンとすることも可能とするものである。尚、本実施の形態３でも２つ以上のボタンが押下されている状態下では３番目以降に押下したボタンは無効とする例で説明する。
【００４８】
図１０は実施の形態３の処理フローを示す図である。  
制御系装置１０４は、例えば、現時点で押下したボタンの状態の記憶制御を行い、何れか１つのボタンの押下状態において、他のボタン（入力を希望するボタン）の押下時に当該他のボタンの押下による入力を有効としてその入力データを出力するように制御する。
【００４９】
このためメモリ装置１０５には、ボタン操作部１０１の各ボタンのそれぞれに対応するフラグを記憶するフラグ記憶領域を確保し、制御系装置１０４はボタン毎の押圧／開放操作に対応して前記記憶領域にそれぞれのフラグを記憶又は消去して、押下状態を参照可能に記憶制御するとともに、前記フラグ記憶領域を参照し、何れのボタンが押下状態にあるか、いくつのフラグが記憶されているかを判断し、任意のボタンと他のボタンの２つのフラグの存在を条件として他のボタンの押下時にそのボタンの入力データをディスプレイ１０３に出力する等の制御を行う。
【００５０】
最初に、メモリ装置１０５を参照し本実施の形態の無効設定がオン状態かオフ状態かを判断し（ｓ１）、オフ状態であれば通常のボタン操作の処理の制御モードとなる（ｓ７）。  
ステップｓ１で無効設定がオン状態であれば、ユーザのボタン操作を待機し、任意のボタンの操作が検出されると（ｓ２）、ボタンの押下か又は開放かを判断し（ｓ３）、ボタンの押下の場合は当該操作のボタンに対応するフラグ記憶領域にフラグを記憶し（ｓ４）、フラグ領域のフラグ数を判断して新たに記憶したフラグが２つ目か否かを判断し（ｓ５）、２つ目であった場合には、当該ボタンに対応する入力データをディスプレイ１０３等に出力してスタートにリターンする（ｓ６）。
【００５１】
また、ステップ３でボタン操作がボタンの開放の場合には、当該ボタンを押下時に記憶していたフラグをフラグ領域から消去しスタートにリターンする（ｓ８）。  
以上の処理によりフラグ記憶領域には、現時点で押下したボタンの状態が記憶され、何れか１つのボタンの押下状態において、他のボタンの押下時に当該他のボタンの押下による入力を有効として当該ボタンの入力データを出力する制御が可能となる。
【００５２】
図１１は、ユーザが「数字」ボタンで無効解除を行いながら「０９０１２３４」を入力するボタン押下の例である。  
図１１において、時刻ｔ５１では任意のボタンとして「１」ボタンを押下することによりその他のボタンが有効（入力待ち）になる。  
時刻ｔ５２では「０」ボタンが押下され入力が確定する。  
時刻ｔ５３では「０」ボタンが開放され再度ボタン入力待ちになる。  
時刻ｔ５４では「９」ボタンが押下され入力が確定する。  
時刻ｔ５５では「９」ボタンが開放され再度ボタン入力待ちになる。  
時刻ｔ５６では「０」ボタンが押下され入力が確定する。  
時刻ｔ５７では「１」ボタンが開放され、押下中のボタンが「１」から「０」に入れ替わるが、押下中ボタンは１つのため、再度ボタン入力待ちになる。  
時刻ｔ５８では「１」ボタンが押下され入力が確定する。  
時刻ｔ５９では「１」ボタンが開放され再度ボタン入力待ちになる。  
時刻ｔ５１０では「２」ボタンが押下され入力が確定する。  
時刻ｔ５１１では「２」ボタンが開放され再度ボタン入力待ちになる。  
時刻ｔ５１２では「３」ボタンが押下され入力が確定する。  
時刻ｔ５１３では「３」ボタンが開放され再度ボタン入力待ちになる。  
時刻ｔ５１４では「４」ボタンが押下され入力が確定する。  
時刻ｔ５１５では「４」ボタンが開放され再度ボタン入力待ちになる。  
時刻ｔ５１６は「０」ボタンの開放により押下中ボタンが無くなり、ボタン入力が無効化となる。
【００５３】
結果として、「１０９０１２３４」の順でボタンの押下による入力が確定する。
【００５４】
（実施の形態４）
本発明の誤入力防止による入力が確定した場合でもその確定入力後に一定時間、所定の機能ボタンの操作がなされない場合にその確定入力をクリアするように構成することが可能である。
【００５５】
図１２は実施の形態４の処理フローを示す図である。既に入力したデータをボタン無効設定に戻った後に自動的にクリアするように構成した処理フローを示す図である。数字データの入力後に発信ボタンが押下されずにボタン入力が無効化し、一定時間が経過した場合に例えばカウンタを利用したタイマ（入力消去タイマ）により前記数字データが自動クリアする。
【００５６】
本実施の形態４では、ステップｓ６までの処理フローは図１０と同様であり、ステップｓ６又はｓ８の処理後フラグ記憶領域のフラグ数を参照し（ｓ１７）、フラグ数が０になった場合にＴ時間の入力消去タイマを起動しタイムアップを待つ（ｓ１９）。ただし、ｓ１７でフラグ数が０でない場合は入力消去タイマをクリア（カウント値をリセット）してスタートにリターンする（ｓ２１）。ステップｓ１９でタイマがタイムアップ（満了）した場合、確定入力をクリアしてスタートにリターンする（ｓ２０）。
【００５７】
図１３は入力データをタイマによりクリアする動作例を示す図である。  
図１３において、時刻ｔ６１からｔ６１５までのボタン操作は図１１と同様であるが、時刻ｔ６１６では「０」ボタンの開放により押下中ボタンが無くなってボタン入力が無効となると、入力消去タイマが開始される（ｓ１８）。  
時刻ｔ５１７では継続するボタンの押下が無く、Ｔ時間の入力消去タイマがタイムアップして停止し（ｓ１９）、既に確定した入力がクリアされている。
【００５８】
発信動作は通常「開始」ボタンの押下をトリガに行うが、「数字」ボタンの入力が確定していても、本タイマがカウント停止するまでに「開始」ボタンが確定しない場合、入力が確定した発信ダイヤル候補のデータは誤入力と判断されて消去される。  
結果として、「１０９０１２３４」の順でボタンの押下を行っているが、「開始」ボタンの押下がなく、更に、全ボタン開放からの時間経過で入力した数字はクリアされ、発信ダイヤル候補なしの状態となる。
【００５９】
（他の実施の形態）
以上の実施の形態では、発信操作に関連するボタンについて誤入力防止機能を一次的に解除して入力する例や、入力が確定したデータを消去する例を示したが、ボタン操作部１０１のその他のボタンについても同様の処理を行うように構成することが可能である。また、前述のように特定のボタンとしては単一のボタンに限られるものではなく、特定範囲の複数のボタンの何れかを特定のボタンとすることも可能であり、また、特定のボタンに代えて任意のボタンによりボタン無効設定の解除に利用するように構成することも可能であることは言うまでもないことである。
【００６０】
本発明は、以上の実施の形態に示すように、ソフトスイッチ式の構成に好適であるものの、ハードスイッチ式に構成することも可能であり、この場合、操作ボタンの押下を記憶する記憶素子との記憶状態を判断する論理回路により前述の各実施の形態の論理出力により操作ボタンの入力の有効、無効を決定するように構成する。
【図面の簡単な説明】
【００６１】
【図１】本発明の一実施の形態の携帯電話機の機能ブロックを示す図である。
【図２】本実施の形態の携帯電話機の正面図である。
【図３】本実施の形態の携帯電話機の側面図である。
【図４】実施の形態１の処理フローを示す図である。
【図５】ボタン無効設定中の短縮ダイヤル発信機能を用いた発信手順の例を示す図である。
【図６】「サイドａ」ボタン、「１」ボタンが及び「開始」ボタンが順次押下される例を示す図である。
【図７】「１」ボタンが及び「開始」ボタンが順に押下される例を示す図である。
【図８】実施の形態２の処理フローを示す図である。
【図９】「サイドａ」、「１」ボタン、「２」ボタン、「開始」ボタンを押下するも「１」ボタンのみ有効となる場合を示す図である。
【図１０】実施の形態３の処理フローを示す図である。
【図１１】「０９０１２３４」ボタンを順次押下する例を示す図である。
【図１２】実施の形態４の処理フローを示す図である。
【図１３】入力データをタイマによりクリアする動作例を示す図である。
【符号の説明】
【００６２】
１０１  ボタン操作部（キーボード）
１０２  無線系装置
１０３  ディスプレイ
１０４  制御系装置
１０５  メモリ装置
１０６  音声系装置
１０７  マイク
１０８  レシーバ
１０１１  サイドａボタン
１０１２  サイドｂボタン
【図１】
2006279282.tif 000003
【図２】
2006279282.tif 000004
【図３】
2006279282.tif 000005
【図４】
2006279282.tif 000006
【図５】
2006279282.tif 000007
【図６】
2006279282.tif 000008
【図７】
2006279282.tif 000009
【図８】
2006279282.tif 000010
【図９】
2006279282.tif 000011
【図１０】
2006279282.tif 000012
【図１１】
2006279282.tif 000013
【図１２】
2006279282.tif 000014
【図１３】
2006279282.tif 000015